(57)【要約】【課題】シリアル高速データ伝送が電波の受信感度に悪影響を及ぼすことを防止する電子機器を提供する。【解決手段】所定の周波数範囲の電波を受信する通信部１１と、パラレルデータを生成するプロセッサユニット１２１と、パラレルデータをシリアルデータに変換するＴｘ高速シリアルデバイス１２２と、変換前のパラレルデータ、もしくは変換後のシリアルデータに対し、所定のデータを挿入するプロセッサユニットもしくはＴｘ高速シリアルデバイス１２２と、を備え、プロセッサユニットもしくはＴｘ高速シリアルデバイス１２２は、パラレルデータによるデータ伝送の場合とシリアルデータによるデータ伝送の場合とで、シリアルデータのクロック周波数の整数倍が、所定の周波数範囲以内に含まれないように制御する。【選択図】図２
2008211666.tif 000002
【特許請求の範囲】
【請求項１】
所定の周波数範囲の電波を受信する受信手段と、
パラレルデータを生成する処理手段と、
前記パラレルデータをシリアルデータに変換する変換手段と、
前記パラレルデータに対し、所定のデータを挿入する挿入手段と、
を備え、
前記挿入手段は、
前記パラレルデータによるデータ伝送の場合と前記シリアルデータによるデータ伝送の場合とで単位時間当たりのデータ伝送速度を変えず、かつ、前記シリアルデータのクロック周波数の整数倍が、前記所定の周波数範囲以内に含まれないように挿入する所定のデータを制御する
ことを特徴とする電子機器。
【請求項２】
前記挿入手段は、
前記パラレルデータのビット数をＮ、前記パラレルデータのクロック周波数をＣ、前記所定の周波数範囲をＭ１以上Ｍ２以下とした場合に、（ｎ−１）・（Ｎ＋ｘ）×Ｃ＜Ｍ１と、ｎ・（Ｎ＋ｘ）×Ｃ＞Ｍ２の２つの条件を満たす整数ｎが存在するｘを、前記パラレルデータに挿入する所定のデータのビット数とする
ことを特徴とする請求項１に記載の電子機器。
【請求項３】
前記挿入手段は、
前記挿入する所定のデータを、空白データとする
ことを特徴とする請求項１または２に記載の電子機器。
【請求項４】
前記挿入手段は、
前記挿入する所定のデータを、当該所定のデータを受信したデバイスに対して所定の処理を行わせるデータとする
ことを特徴とする請求項１または２に記載の電子機器。
【請求項５】
画像を表示する第１の表示手段と、画像を表示する第２の表示手段とを備え、
前記挿入手段は、
前記パラレルデータを前記第１の表示手段の表示データとした場合、前記挿入する所定のデータを、前記第２の表示手段の表示データとする
ことを特徴とする請求項４に記載の電子機器。
【請求項６】
画像を表示する表示手段を備え、
前記挿入手段は、
前記パラレルデータを前記表示手段の表示データとした場合、前記挿入する所定のデータを、前記表示データの画像に重ね合わせて表示される画像の画像データとする
ことを特徴とする請求項４に記載の電子機器。
【請求項７】
画像を表示する表示手段を備え、
前記挿入手段は、
前記パラレルデータを前記表示手段の表示データとした場合、前記挿入する所定のデータを、前記表示手段の表示動作を制御する制御データとする
ことを特徴とする請求項４に記載の電子機器。
【請求項８】
所定の周波数範囲の電波に対してチャンネルが割り当てられているデジタルテレビジョンの放送データを受信する受信手段と、
前記受信手段が受信した放送データを出力する処理手段と、
前記処理手段により出力されるパラレルデータをシリアルデータに変換して出力する変換手段と、
前記パラレルデータに対して、所定のデータを挿入する挿入手段と、
前記受信する放送データのチャンネルの周波数範囲を前記挿入手段に出力する出力手段と、を備え、
前記挿入手段は、
前記パラレルデータによるデータ伝送の場合と前記シリアルデータによるデータ伝送の場合とで、単位時間当たりのデータ伝送速度を変えずに、前記パラレルデータに所定のデータを挿入し、前記シリアルデータのクロック周波数の整数倍が、前記周波数範囲以内に入らないように制御する
ことを特徴とする電子機器。
【発明の詳細な説明】
【技術分野】
【０００１】
本発明は、シリアルデータを用いたデータの伝送を行う電子機器に関する。
【背景技術】
【０００２】
携帯電話端末では、プロセッサユニットからＬＣＤ（Liquid Crystal Display）表示モジュールに対するデータ伝送に、高速シリアルデータ通信を用いることが頻繁に行なわれる。
図６に、従来の携帯電話端末における表示インタフェースの一例示す。
【０００３】
図６に示す表示インタフェースを持つ携帯電話端末は、プロセッサユニット６１とＬＣＤ表示モジュール６２との間が、送信側高速シリアルデバイス６３（以下、Ｔｘ高速シリアルデバイス６３という）、受信側高速シリアルデバイス６４（以下、Ｒｘ高速シリアルデバイス６４という）を用いて、高速シリアル通信路６５により結線される。
すなわち、プロセッサユニット６１により生成される表示データ（パラレルデータ）は、高速シリアルデバイス６２によりシリアルデータに変換され、高速シリアル通信路６５を介して伝送される。そして、高速シリアル通信路６５を介して伝送されるシリアルデータは、高速シリアルデバイス６４によりパラレルデータに変換され、ＬＣＤ表示モジュール６３に伝送される。そして、ＬＣＤ表示モジュール６２は、伝送されたパラレルデータにより、所望の表示を得る構成になっている（例えば、特許文献１参照）。
【特許文献１】特開２００６−２１０９９２号公報
【発明の開示】
【発明が解決しようとする課題】
【０００４】
上記構成において、図７に示されるように、例えば、１８ビットのパラレルデータを伝送する場合、高速シリアルデバイス６２で６ＭＨｚのクロックを１８逓倍した１０６ＭＨｚのクロックでシリアルデータ通信を行なう（高速シリアルデバイス６４では１８分周して元のパラレルデータに戻す）。
すなわち、従前の１８倍の通信速度が必要となり、その速度はプロセッサユニットやＬＣＤの仕様（処理速度）に依存する。
【０００５】
このため、ＣＤＭＡ（Code Division Multiple Access）受信帯域８４３ＭＨｚ〜８７０ＭＨｚのそれぞれの周波数に対して高速シリアルデータ通信の高調波が悪影響を及ぼさないように通信速度を変更することは非常に困難である。上記の例では基本周波数１０８ＭＨｚの８倍高調波の８６４ＭＨｚ帯域で受信感度に悪影響を及ぼすことが知られている。
【０００６】
一方、地上デジタルテレビジョン放送が受信可能な携帯電話端末が市場に出現しているが、デジタルテレビジョン放送の場合、複数あるチャンネル毎に受信周波数が異なり、このため、チャンネル毎に、受信感度に悪影響を与えないようにシリアルデータ通信の周波数を設定することは困難である。
【０００７】
本発明は上記した課題を解決するためになされたものであり、シリアルデータ伝送が電波の受信感度に悪影響を及ぼすことを防止する電子機器を提供することを目的とする。
【課題を解決するための手段】
【０００８】
本発明の第１の観点の電子機器は、所定の周波数範囲の電波を受信する受信手段と、パラレルデータを生成する処理手段と、前記パラレルデータをシリアルデータに変換する変換手段と、前記パラレルデータに対し、所定のデータを挿入する挿入手段と、を備え、前記挿入手段は、前記パラレルデータによるデータ伝送の場合と前記シリアルデータによるデータ伝送の場合とで単位時間当たりのデータ伝送速度を変えず、かつ、前記シリアルデータのクロック周波数の整数倍が、前記所定の周波数範囲以内に含まれないように挿入する所定のデータを制御する。
【０００９】
また、本発明の第１の観点の電子機器において、前記挿入手段は、前記パラレルデータのビット数をＮ、前記パラレルデータのクロック周波数をＣ、前記所定の周波数範囲をＭ１以上Ｍ２以下とした場合に、（ｎ−１）・（Ｎ＋ｘ）×Ｃ＜Ｍ１と、ｎ・（Ｎ＋ｘ）×Ｃ＞Ｍ２の２つの条件を満たす整数ｎが存在するｘを、前記パラレルデータに挿入する所定のデータのビット数としてもよい。
【００１０】
また、本発明の第１の観点の電子機器において、前記挿入手段は、前記挿入する所定のデータを、空白データとしてもよい。
【００１１】
また、本発明の第１の観点の電子機器において、前記挿入手段は、前記挿入する所定のデータを、当該所定のデータを受信したデバイスに対して所定の処理を行わせるデータとしてもよい。
【００１２】
また、本発明の第１の観点の電子機器において、画像を表示する第１の表示手段と、画像を表示する第２の表示手段とを備え、前記挿入手段は、前記パラレルデータを前記第１の表示手段の表示データとした場合、前記挿入する所定のデータを、前記第２の表示手段の表示データとしてもよい。
【００１３】
また、本発明の第１の観点の電子機器において、画像を表示する表示手段を備え、前記挿入手段は、前記パラレルデータを前記表示手段の表示データとした場合、前記挿入する所定のデータを、前記表示データの画像に重ね合わせて表示される画像の画像データとしてもよい。
【００１４】
また、本発明の第１の観点の電子機器において、画像を表示する表示手段を備え、前記挿入手段は、前記パラレルデータを前記表示手段の表示データとした場合、前記挿入する所定のデータを、前記表示手段の表示動作を制御する制御データとしてもよい。
【００１５】
また、本発明の第２の観点の電子機器は、所定の周波数範囲の電波に対してチャンネルが割り当てられているデジタルテレビジョンの放送データを受信する受信手段と、前記受信手段が受信した放送データを出力する処理手段と、前記処理手段により出力されるパラレルデータをシリアルデータに変換して出力する変換手段と、前記パラレルデータに対して、所定のデータを挿入する挿入手段と、前記受信する放送データのチャンネルの周波数範囲を前記挿入手段に出力する出力手段と、を備え、前記挿入手段は、前記パラレルデータによるデータ伝送の場合と前記シリアルデータによるデータ伝送の場合とで、単位時間当たりのデータ伝送速度を変えずに、前記パラレルデータに所定のデータを挿入し、前記シリアルデータのクロック周波数の整数倍が、前記周波数範囲以内に入らないように制御する。
【発明の効果】
【００１６】
本発明によれば、シリアルデータのクロック周波数の整数倍が、受信する電波の周波数範囲以内に含まれないため、シリアルデータ伝送が電波の受信感度に悪影響を及ぼすことを防止することができる。
【発明を実施するための最良の形態】
【００１７】
以下、本発明に係る電子機器の実施形態について、図面を参照して説明する。図１は、本発明の実施の形態に係る電子機器の内部構成を示すブロック図である。ここでは、電子機器の一例として携帯電話端末が示されている。
図１に示されるように携帯電話端末は、通信部１１と、制御部１２と、記憶部１３と、音声処理部１４と、表示部１５と、操作部１６とにより構成される。
【００１８】
通信部１１は、不図示の基地局のいずれかによって割り当てられるチャネルを用いて当該基地局との間で通信回線を介して無線信号の送受信を行う。ここでは、所定の周波数範囲の電波を受信する受信手段としての機能を持つ。
【００１９】
制御部１２は、例えば、表示部１５が表示する画像データ（パラレルデータ）を生成するデータ処理手段としての機能を司る他、接続される音声処理部１４、表示部１５、操作部１６を、記憶部１３に格納されたプログラムに基づき制御する。
【００２０】
記憶部１３には、制御部１２が実行するプログラムや、当該プログラムが参照するテーブル、あるいは作業領域として使用するデータのそれぞれが格納される記憶領域が割り付けられ、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成されるものとする。
【００２１】
音声処理部１４は、スピーカ（ＳＰ）から出力される音声信号やマイクロフォン（以下、マイクという：ＭＩＣ）を介して入力される音声信号の処理を行う。
すなわち、音声処理部１４は、マイクから入力される音声を増幅し、アナログ／デジタル変換を行い、更に符号化等の信号処理を施し、デジタルの音声データに変換して制御部１２に出力する。
また、音声処理部１４は、制御部１２から供給される音声データに復号化、デジタル／アナログ変換、増幅等の信号処理を施し、アナログの音声信号に変換してスピーカに出力する。
【００２２】
表示部１５は、例えば、ＬＣＤパネルや有機ＥＬ（Electro-Luminescence）パネルなどの表示デバイスを用いて構成されており、制御部１２から供給される映像信号に応じた画像を表示する。
表示部１５は、制御部１２により生成される表示情報を映像信号に変換して表示する。表示部１５は、例えば、携帯電話機発信時における発信先の電話番号、着信時における着信相手の電話番号、受信メールや送信メールの内容、日付、時刻、アンテナレベル、バッテリ残量等のピクト、発信成否、待ち受け画面などの各種の情報や画像を表示する。
ここでは、表示デバイスとしてＬＣＤパネルを用いるものとし、このため、ＬＣＤモジュールが実装される。
【００２３】
操作部１６は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部１２に入力する。
【００２４】
図２は、図１に示す制御部１２と表示部１５における実装回路部品構成とそれらの接続関係を示す図である。
【００２５】
図２において、制御部１２は、プロセッサユニット１２１と、Ｔｘ高速シリアルデバイス１２２とにより構成され、一方、表示部１５は、Ｒｘ高速シリアルデバイス１５１と、ＬＣＤモジュール１５２とにより構成される。制御部１２と表示部１５とは、高速シリアル伝送路１０１および周知のＩ２Ｃプロトコルによるコマンドとデータの伝送を行なうＩ２Ｃバス１０２を介して接続される。
【００２６】
プロセッサユニット１２１は、画像データ等のパラレルデータを生成する処理手段として機能し、また、Ｔｘ高速シリアルデバイス１２２は、プロセッサユニット１２１により生成されたパラレルデータをシリアルデータに変換する変換手段として機能する。
【００２７】
また、プロセッサユニット１２１、またはＴｘ高速シリアルデバイス１２２は、変換前のパラレルデータ、もしくは変換後のシリアルデータに対して空白データ等、所定のデータを挿入する挿入手段としても機能する。
このとき、挿入手段としてのプロセッサユニット１２１またはＴｘ高速シリアルデバイス１２２は、パラレルデータによるデータ伝送の場合と、シリアルデータによるデータ伝送の場合とで、シリアルデータのクロック周波数の整数倍が、所定の周波数範囲以内に含まれないように制御する。詳細は後述する。
【００２８】
プロセッサユニット１２１により生成される画像データは、Ｔｘ高速シリアルデバイス１２２によりシリアルデータに変換される。Ｔｘ高速シリアルデバイス１２２は、変換前のパラレルデータと変換後のシリアルデータとで、単位時間当りのデータ伝送速度が等しくなるようにシリアルデータのクロック周波数を設定して、パラレルデータとシリアルデータとの変換を行う。高速シリアル伝送路１０１を介して伝播されるシリアルデータは、表示部１５内のＲｘ高速シリアルデバイス１５１に供給される。
【００２９】
なお、プロセッサユニット１２１と、Ｔｘ高速シリアルデバイス１２２、Ｒｘ高速シリアルデバイス１５１とは、上記した高速シリアル伝送路１０１の他に、Ｉ２Ｃバス１０２を介して接続される。
動作モード等、プロセッサユニット１２１により生成される高速シリアルデバイス１２２、１５１のための各種制御値は、Ｉ２Ｃバス１０２を介して伝送され、Ｔｘ高速シリアルデバイス１２２、Ｒｘ高速シリアルデバイス１５１に内蔵された各種レジスタ群に設定される。
Ｔｘ高速シリアルデバイス１２２、Ｒｘ高速シリアルデバイス１５１は、以降、設定された制御値に基づき動作するものとする。
【００３０】
プロセッサユニット１２１により生成される画像データは、Ｔｘ高速シリアルデバイス１２２において上記した制御値に基づきシリアルデータに変換され、高速シリアル伝送路１０１、Ｒｘ高速シリアルデバイス１５１を介してＬＣＤモジュール１５２に伝送され、Ｒｘ高速シリアルデバイス１５１にてパラレルデータに変換された画像データは、ＬＣＤモジュール１５２が内蔵する不図示の画像メモリに格納され、ここで、所望の表示を得ることができる。
【００３１】
以下、本発明の電子機器について、実施の形態毎、その構成動作を詳細に説明する。
【００３２】
（実施の形態１）
図３は、本発明の実施の形態１に係る電子機器の動作を示す動作概念図である。なお、図３において、図２に示すブロックと同じ番号が付されたブロックは図２に示すブロックと同じ名称、機能を持つブロックとする。
【００３３】
図３に示す本発明の実施の形態１に係る電子機器では、例えば、１８ビットのパラレルデータ（Ａ０〜Ａ１７、Ｂ０〜Ｂ１７、Ｃ０〜Ｃ１７）を伝送する場合、一旦、Ｔｘ高速シリアルデバイス１２２にてそれぞれに１ビット空白データを付加した１９ビットのパラレルデータを保持し、以降、６ＭＨｚのクロックを１９逓倍した１１４ＭＨｚのクロックでシリアルデータ（Ｃ０、ＢＫ、Ｂ１７、…、Ｂ２、Ｂ１、Ｂ０、ＢＫ、Ａ１７…）に変換し、高速シリアル伝送路１０１を介して高速シリアルデータ伝送を行なう。
【００３４】
図３中、空白データはＢＫで示されており、受信側のＲｘ高速シリアルデバイス１５１では受信したシリアルデータを６ＭＨｚのクロックで１９分周することにより空白ビットを削除して元のパラレルデータに戻し、不図示ＬＣＤモジュール１５２に供給する。
なお、上記した逓倍および分周は、Ｔｘ高速シリアルデバイス１２２、Ｒｘ高速シリアルデバイス１５１のそれぞれが内蔵するＰＬＬ（Phase Locked Loop）が行なう。
【００３５】
すなわち、Ｔｘ高速シリアルデバイス１２２が出力するシリアルデータに空白ビット（あるいは空白時間）を挿入することでデータ伝送の周波数（速度）を上げ、重複を回避すべき周波数帯域、例えば、高周波をＣＤＭＡ受信帯域から外すことが可能となる。
なお、空白ビットはプロセッサユニット１２１が生成し、Ｔｘ高速シリアルデバイス１２２は、あらかじめ空白ビットを含むパラレルデータを受信してシリアルデータに変換してもよい。
【００３６】
また、上記したシリアルデータに挿入する所定のデータのビット数を一般式で表現すれば以下のようになる。すなわち、挿入手段としてのＴｘ高速シリアルデバイス１２２は、パラレルデータのビット数をＮ、パラレルデータに変換するためにパラレルデータに追加する空白ビット数をｘ、パラレルデータのクロック数をＣ、回避する周波数帯域をＭ１≦帯域≦Ｍ２とした場合に、以下の２つの条件式（１）（２）を満たす任意の整数ｎが存在するｘを用いてパラレルシリアルデータ変換を行う。
（ｎ−１）・（Ｎ＋ｘ）×Ｃ＜Ｍ１            …（１）
ｎ・（Ｎ＋ｘ）×Ｃ＞Ｍ２                    …（２）
【００３７】
なお、上記した条件式（１）（２）を満たすｎが複数存在する場合、例えば、最小のｎを選択すればよい。勿論、複数のｎが選択可能な場合、ｎの選択としてはこのような場合に限定されるものではなく、その他の方法であっても良い。
【００３８】
上記した本発明の実施の形態１に係る電子機器によれば、プロセッサユニット１５１もしくはＴｘ高速シリアルデバイス１５２等の挿入手段が、パラレルデータによるデータ伝送の場合とシリアルデータによるデータ伝送の場合とで、シリアルデータのクロック周波数の整数倍が、通信部１１で受信可能な所定の周波数範囲以内に含まれないように制御することで、データ伝送の周波数（速度）を上げ、重複を回避すべき周波数帯域、例えば、高周波をＣＤＭＡ受信帯域から外すことができる。
【００３９】
例えば、ＣＤＭＡの場合、基本周波数１１４ＭＨｚの７倍の高調波は７９８ＭＨｚ、８倍高調波は９１２ＭＨｚとなり、この周波数帯をＣＤＭＡ受信帯域（８４３ＭＨｚ〜８７０ＭＨｚ）から外すことができ、したがって、シリアル高速データ伝送が電波の受信感度に悪影響を及ぼすことが無いように対策を施すことができる。
【００４０】
（実施の形態２）
図４は、本発明の実施の形態２に係る電子機器の動作を示す動作概念図である。なお、図４において、図２、図３に示すブロックと同じ番号が付されたブロックは図２、図３に示すブロックと同じ名称、機能を持つブロックとする。
【００４１】
図４に示す本発明の実施の形態２に係る電子機器において、図３に示す実施の形態１との差異は、空白ビットを付加する代替として、ＬＣＤモジュール１５２に伝送すべき画像データとしたことにあり、他の動作は同じである。なお、ここでは、表示部１５はメインＬＣＤとサブＬＣＤで構成され、そのため、ＬＣＤモジュール１５２は、メインＬＣＤ表示用と、サブＬＣＤ表示用の２種類備えるものとする。
【００４２】
ここでは、空白ビットを付加する代替としてＬＣＤモジュール１５２に伝送すべき画像データは、１８ビットのパラレルデータがメインＬＣＤに供給すべき画像データとした場合の重ね合わせて表示するメインＬＣＤのデータであり、例えば、アンテナや電池残量等の比較的小容量のピクト画像、あるいは、ブリンクや反転等、メインＬＣＤに表示される画像データの表示属性を制御するＬＣＤ制御信号が好ましい。
【００４３】
例えば、プロセッサユニット１２１は、図４に示すシリアルデータのうち、ビットＡ１７とビットＢ０との間の空白ビットＢＫの代わりに、あるいはビットＢ１７とＣ０との間の空白ビットＢＫの代わりに、生成されるサブＬＣＤ（ＬＣＤモジュール１５２）に表示すべき画像データの一部を付加する。
このとき、Ｔｘ高速シリアルデバイス１２２は、あらかじめサブＬＣＤの画像データがあるものとしてメインＬＣＤ画像データにその画像データを含めてシリアルデータに変換し、Ｒｘ高速シリアルデバイス１５１では、受信したシリアルデータをパラレルデータに変換するときに、サブＬＣＤの画像データを抽出してサプＬＣＤへの表示処理を行う。
【００４４】
上記した本発明の実施の形態２に係る電子機器によれば、前述の実施の形態１と同様の効果を得られると共に、挿入手段としてのプロセッサユニット１５１が挿入する所定のデータを、例えば、ＬＣＤモジュール１５２に供給する画像データの一部とすることにより、実施の形態１に比較して画像データの伝送効率が向上する。
なお、ここでは、所定のデータとして、ＬＣＤモジュール１５２に供給する画像データの一部とし、より具体的にはメインＬＣＤに表示するピクト画像としたが、データ供給先はＬＣＤモジュールに限らず、当該所定のデータを受信する全てのデバイスに対して有効であり、この場合は所定の処理を行わせるデータとなる。
【００４５】
（実施の形態３）
図５は、本発明の実施の形態３に係る電子機器の動作を示す動作概念図である。なお、図５において、図２、図３、図４に示すブロックと同じ番号が付されたブロックは図２、図３、図４に示すブロックと同じ名称、機能を持つブロックとする。
【００４６】
図５に示す本発明の実施の形態３に係る電子機器は、電子機器として、地上波デジタル放送を受信可能な携帯電話端末が例示されている。このため、携帯電話端末が標準で持つ構成に、更に、地上波デシタル放送を受信するチューナであるＤＴＶ受信部１２０が付加されている。
【００４７】
図５に示す本発明の実施の形態３に係る電子機器において、図３に示す実施の形態１との差異は、現在の地上デジタル放送テレビジョンの受信チャンネルに基づいてシリアルデータ伝送のクロック周波数を変換している点であり、他の点は同様である。
【００４８】
具体的に、地上デジタルテレビジョン放送の場合、１３チャンネルから６２チャンネルまで周波数が割当てられており、例えば、１３チャンネルは、中心周波数４７３．１４２８５７、下限周波数４７２．９２８５７１、上限周波数４７３．３５７１４３ＭＨｚと規定されている。
【００４９】
プロセッサユニット１２１は、操作部１５３から入力された受信した放送チャンネルに基づいてＴｘ高速シリアルデバイス１２２に対し、チャンネルの周波数範囲等のチャンネル情報を伝える。
Ｔｘ高速シリアルデバイス１２２は、受信したチャンネル情報に基づいて実施の形態１で説明した条件式（１）（２）を用い、１３チャンネルの場合のＭ１を４７２．９２９ＭＨｚ、Ｍ２を４７３．３５７ＭＨｚとして、任意の整数ｎが存在するｘを求め、受信している地上デジタルジョン放送の受信感度に悪影響を与えないようにパラレルデータをシリアルデータに変換する。
【００５０】
上記した本発明の実施の形態３に係る電子機器によれば、制御部１２（プロセッサユニット１２１）が、通信部１１が受信した放送データのチャンネルの周波数範囲をＴｘ高速シリアルデバイス１２２に出力し、Ｔｘ高速シリアルデバイス１２２が、パラレルデータによるデータ伝送の場合とシリアルデータによるデータ伝送の場合とで、シリアルデータのクロック周波数の整数倍が、通信部１１で受信可能な所定の周波数範囲以内に含まれないように制御することで、データ伝送の周波数（速度）を上げ、重複を回避すべき周波数帯域、例えば、地上デジタルテレビジョン放送のチャンネルの周波数帯域から外すことができ、したがって、シリアル高速データ伝送が地上デジタルテレビジョン放送の電波の受信感度に悪影響を及ぼすことが無いように対策を施すことができる。
【００５１】
なお、図５に示す本発明の実施の形態３に係る電子機器によれば、ＤＴＶ受信部１２０は、所定の周波数範囲の電波に対してチャンネルが割り当てられているデジタルテレビの放送データを受信する受信手段として機能し、制御部１２（プロセッサユニット１２１）は、受信手段が受信した放送データを出力する処理手段として、また、受信手段が受信した放送データのチャンネルの周波数範囲を挿入手段に出力する出力手段としても機能する。
【００５２】
一方、制御部１２（Ｔｘ高速シリアルデバイス１２２）は、処理手段により出力されるパラレルデータをシリアルデータに変換して出力する変換手段として、更には、変換前のパラレルデータに対して、所定のデータを挿入する挿入手段として機能する。
このとき、挿入手段は、パラレルデータによるデータ伝送の場合とシリアルデータによるデータ伝送の場合とで、単位時間当たりのデータ伝送速度を変えずに、パラレルデータに所定のデータを挿入し、シリアルデータのクロック周波数の整数倍が、周波数範囲以内に入らないように制御する。
【００５３】
上記した本発明の実施の形態３に係る電子機器によれば、受信している地上波デジタル放送の受信感度に悪影響を与えないように、パラレルデータをシリアルデータに変換することができ、良好な受信感度が得られる。
また、高調波周波数が受信帯域に入り、悪影響を及ぼしていた場合を考慮して実装されていたノイズ対策部品を削除することができ、コスト低減にも寄与する。
【００５４】
なお、上記した本発明の実施の形態１〜３に係る電子機器によれば、制御部１２が内蔵するプロセッサユニット１２１と、Ｔｘ高速シリアルデバイス１２２とを独立した別のデバイスとして区別して説明したが、プロセッサユニット１２１にＴｘ高速シリアルデバイス１２２が持つ機能を組み込むことで、プロセッサユニット１２１単体としての動作も可能である。また、表示モジュール１５２にＲｘ高速シリアルデバイス１５１が持つ機能を組み込むことで、ＬＣＤモジュール１５２単体としての動作も可能である。
【００５５】
また、上記した本発明の実施の形態１〜３によれば、いずれも本発明の電子機器を携帯電話端末に適用する場合のみ例示したが、携帯電話１に限らず、ＰＤＡ（Personal Digital Assistants）、やゲーム機等にも同様に適用が可能である。
【図面の簡単な説明】
【００５６】
【図１】本発明の実施の形態に係る電子機器の内部構成を示すブロック図である。
【図２】図１に示す制御部と表示部との具体的な回路部品実装構成と接続関係とを説明するために示した図である。
【図３】本発明の実施の形態１に係る電子機器の動作を模式的に示した動作概念図である。
【図４】本発明の実施の形態２に係る電子機器の動作を模式的に示した動作概念図である。
【図５】本発明の実施の形態３に係る電子機器の動作を模式的に示した動作概念図である。
【図６】従来の電子機器（携帯電話端末）における表示インタフェースの一例を示す図である。
【図７】図６の動作を模式的に示した動作概念図である。
【符号の説明】
【００５７】
１１…通信部、１２…制御部、１３…記憶部、１４…音声処理部、１５…表示部、１６…操作部、１０１…高速シリアル伝送路、１２０…ＤＴＶ受信部、１２１…プロセッサユニット、１２２…Ｔｘ高速シリアルデバイス、１５１…Ｒｘ高速シリアルデバイス、１５２…ＬＣＤモジュール。
【図１】
2008211666.tif 000003
【図２】
2008211666.tif 000004
【図３】
2008211666.tif 000005
【図４】
2008211666.tif 000006
【図５】
2008211666.tif 000007
【図６】
2008211666.tif 000008
【図７】
2008211666.tif 000009